(57)【要約】【課題】蓋を閉めた食品包装容器内に入れられた小容器をテーブル等の上に置いたとき、テーブル等の上が汚れることを防止することができる縦置き型食品包装容器を提供する。【解決手段】本発明は、縦置き型食品包装容器に関する。本発明による縦置き型食品包装容器（１）は、上向きの開口（２）を有し且つ食品（Ｃ）を収容する縦置き型の外容器（４）と、開口（２）を閉鎖する外蓋（６）と、小容器（２６）とを有する。小容器（２６）は、外蓋（６）とそれによって閉鎖された外容器（４）とによって構成される容器内部空間（２４）に配置される。また、小容器（２６）は、それを容器内部空間（２４）の外に置いたときに上向きになる開口（３８）を有する。小容器（２６）は、容器内部空間（２４）において、開口（３８）が下向きになるように食品（Ｃ）の上に配置される。【選択図】      図１
2004345698.tif 000002
【特許請求の範囲】
【請求項１】
縦置き型食品包装容器であって、
上向きの開口を有し、食品を収容する縦置き型の外容器と、
前記開口を閉鎖するための外蓋と、
前記外蓋とそれによって閉鎖された外容器とによって構成される容器内部空間に配置された小容器と、を有し、
前記小容器は、それを前記容器内部空間の外に置いたときに上向きになる開口を有し、前記容器内部空間において、前記小容器の開口が下向きになるように前記食品の上に配置されていることを特徴とする縦置き型食品包装容器。
【請求項２】
前記外容器の開口及び前記外蓋は、実質的に１つの平面内に配置される、請求項１に記載の縦置き型食品包装容器。
【請求項３】
前記小容器に入れるべき味剤を収容した味剤収容体が、前記小容器と前記外蓋との間に配置される、請求項１に記載の縦置き型食品包装容器。
【請求項４】
前記小容器は、その下向きの開口を閉鎖するための小容器用蓋を有し、前記小容器に入れるべき味剤が、前記小容器用蓋によって閉鎖された小容器内に配置される、請求項１に記載の縦置き型食品包装容器。
【請求項５】
前記小容器は、それを前記容器内部空間内から取出すのに掴むための掴み手段を有する、請求項１に記載の縦置き型食品包装容器。
【請求項６】
前記小容器は、それが前記容器内部空間内に配置されているときに上向きになる底面を有し、前記掴み手段は、前記外容器の内面から間隔をおくように構成された前記底面の周縁部によって構成される、請求項５に記載の縦置き型食品包装容器。
【請求項７】
前記外蓋と前記小容器とが連結されている、請求項１に記載の縦置き型食品包装容器。
【発明の詳細な説明】
【０００１】
【発明の属する技術分野】
本発明は、食品包装容器に係わり、更に詳細には、縦置き型の食品包装容器に関する。
【０００２】
【従来の技術】
菓子類、麺類、ヨーグルト、プリン、ところてん、納豆、インスタント味噌汁等の食品を収容した縦置き型の食品包装容器が知られている。これらの食品包装容器には、しばしば、スープ、ソース、バター、クリーム、ケチャップ、マヨネーズ、フルーツソース等のジャム、ドレッシング、香辛料、又は、調味料等の味剤用の小容器が添付されている。
【０００３】
これらの小容器が、蓋を閉めた食品包装容器の外側に添付されている場合がある。この場合、味剤を入れた小容器をテーブル等の上において、例えば、小容器内のバターを食品包装容器内の棒状の食品に付けながら食べることができる。
【０００４】
他方、これらの小容器が、蓋を閉めた食品包装容器の中に配置されている場合がある（例えば、特許文献１及び２参照）。この場合、例えば、食品包装容器と一体に形成された小容器内のチョコレート液を食品包装容器内の棒状菓子に付けながら食べることができる（例えば、特許文献１参照）。
【０００５】
【特許文献１】
実公昭５８−５４３５０号公報  （第１図）
【特許文献２】
実開昭４９−９０５８５号公報  （第２図）
【０００６】
【発明が解決しようとする課題】
味剤用の小容器を、後者の場合のように、蓋を閉めた食品包装容器内に入れておき、食品を食べる際、味剤用の小容器を食品包装容器から取出し、それを、前者の場合のように、テーブル等の上において、小容器内の味剤を食品包装容器内の食品に付けながら食べられるようにすることも可能である。しかしながら、食品包装容器内の食品が、小容器に付着しやすい材料を有している場合、問題が生じることがある。例えば、食品包装容器内の食品がフライドポテトである場合、食品包装容器の輸送中、フライドポテトの表面に存在している油と食塩が、食品包装容器内に配置されている小容器の底面に付着する。この小容器をテーブルの上に置いたとき、小容器の底面についた油と塩により、テーブルの上が汚れてしまう。
【０００７】
そこで、本発明の目的は、蓋を閉めた食品包装容器内に入れられた小容器をテーブル等の上に置いたとき、テーブル等の上が汚れることを防止することができる縦置き型食品包装容器を提供することにある。
【０００８】
【課題を解決するための手段】
上記目的を達成するために、本発明による縦置き型食品包装容器は、上向きの開口を有し、食品を収容する縦置き型の外容器と、開口を閉鎖するための外蓋と、外蓋とそれによって閉鎖された外容器とによって構成される容器内部空間に配置された小容器と、を有し、小容器は、それを容器内部空間の外に置いたときに上向きになる開口を有し、容器内部空間において、小容器の開口が下向きになるように食品の上に配置されていることを特徴としている。
【０００９】
このように構成された縦置き型食品包装容器によれば、外容器の開口が外蓋によって閉鎖されているとき、外容器に収容されている食品と、容器内部空間に下向きに配置された小容器の開口とは、互いに向い合う向きに配置されている。縦置き型の食品包装容器が輸送等されている間、外容器内の食品は、主として、小容器の開口側と接触する。例えば、食品がフライドポテトの場合、フライドポテトの油及び塩が、主として、小容器の開口側に付着する。外蓋をあけて、小容器をテーブル等の上に置いたとき、油及び塩が付着している小容器の開口側は、上向きになる。即ち、小容器に付着している油及び塩は、テーブルと接触しない。従って、内部空間に配置された、即ち、蓋を閉めた食品包装容器内に入れられた小容器をテーブル等の上に置いたとき、テーブル等の上が汚れることを防止することができる。
【００１０】
食品の上に配置されている小容器は、食品の上に直接配置されていても良いし、食品と間隔をおいて配置されていても良い。また、小容器を、食品包装容器内の食品を小出しするのに使用しても良いし、食品包装容器に添付した味剤を入れるのに使用しても良い。外蓋は、外容器の開口を密封的に閉鎖していても良いし、外容器に嵌合することによって外容器の開口を閉鎖していても良い。容器内部空間に配置される外容器の数は、１つに限らず、複数であっても良い。
【００１１】
本発明において、好ましくは、外容器の開口及び外蓋は、実質的に１つの平面内に配置される。
【００１２】
このように構成された縦置き型食品包装容器では、食品包装容器の上面が平らになる。それにより、従来から使用されている食品包装容器の外形寸法を変えることなしに、食品包装容器に小容器を添付することができる。新しい形状の食品包装容器を製作した場合、食品包装容器の型を新たに製作するコスト等が生じてしまう。しかしながら、食品包装容器内に余裕があったり、食品の総カロリー数を制限するために食品の内容量が食品包装容器の容量に比べて少ない場合、食品包装容器内の空間を利用して、小容器を収容することができる。それにより、製造コスト等を軽減することができる。また、上面を上方に突出させる場合と異なり、食品包装容器の上面全体が見やすくなり、上面をデザイン的に有効利用することができる。
【００１３】
本発明において、好ましくは、小容器に入れるべき味剤を収容した味剤収容体が、小容器と外蓋との間に配置される。
【００１４】
このように構成された縦置き型食品包装容器では、味剤収容体が小容器の上側に配置されることになる。上述のように、食品包装容器の輸送等の間、小容器の開口側が、主として、食品と接触する。即ち、小容器の下側が食品と接触し、小容器の上側は、食品と接触しない。従って、小容器の上側に配置された味剤収容体は、食品と接触せず、その結果、味剤収容体が食品によって汚れることを防止することができる。それにより、外蓋をあけたとき、手を汚すことなしに味剤収容体を取出すことができる。
【００１５】
味剤収容体は、袋状のものであっても良いし、容器状のものであっても良い。また、味剤収容体の数は、１つに限らず、複数であっても良い。
【００１６】
本発明において、好ましくは、小容器は、その下向きの開口を閉鎖するための小容器用蓋を有し、小容器に入れるべき味剤が、小容器用蓋によって閉鎖された小容器内に配置される。
【００１７】
このように構成された縦置き型食品包装容器では、小容器用蓋は、小容器の下側に配置される。その結果、外容器内の食品の上に、小容器用蓋が配置され、この小容器用蓋の上に、味剤が配置されることになる。即ち、味剤と食品とは、小容器用蓋によって分離される。味剤が袋状又は容器状の味剤収容体に入れられている場合には、味剤収容体が食品によって汚れることを防止することができる。小容器用蓋と小容器とが密封されていれば、味剤が直接小容器に入れられていても良い。
【００１８】
本発明において、好ましくは、小容器は、それを容器内部空間内から取出すのに掴むための掴み手段を有する。
【００１９】
このように構成された縦置き型食品包装容器では、掴み手段を使用することによって、小容器を容器内部空間から容易に取出すことができる。特に、小容器が、外容器の中に配置されている場合、小容器の取出しが容易になる。
【００２０】
この場合、好ましくは、小容器は、それが容器内部空間内に配置されているときに上向きになる底面を有し、掴み手段は、外容器の内面から間隔をおくように構成された底面の周縁部によって構成される。
【００２１】
このように構成された縦置き型食品包装容器では、底面の周縁部を掴んで、小容器を容器内部空間から取出すことができる。特に、小容器が外容器の中に配置されている場合、外容器の内面と小容器の底面との間に指を挿入し、小容器の底面の周縁部を指で掴むことによって、小容器を外容器の中から容易に取出すことができる。
【００２２】
底面から開口までの小容器の形状は、任意であり、例えば、段付き形状になっていても良いし、テーパ形状になっていても良い。
【００２３】
本発明において、好ましくは、外蓋と小容器とが連結されている。
【００２４】
このように構成された縦置き型食品包装容器では、外蓋を外容器から取外すと同時に、小容器を容器内部空間から取出すことができる。小容器が容器内部空間内に配置されているときに上向きになる底面を小容器が有し、この底面が外蓋に連結されていれば、食品の材料が小容器の底面に付着することが確実に防止される。その結果、小容器の底面をテーブル等の上に置いたとき、テーブル等の上が汚れることを確実に防止することができる。
【００２５】
外蓋を小容器から取外して、小容器だけをテーブル等の上に置いても良いし、外蓋を小容器から取外さずに、小容器と外蓋を一緒にテーブル等の上においても良い。また、外蓋と小容器を一体にして形成しても良い。
【００２６】
【発明の実施の形態】
以下、図面を参照して、本発明による縦置き型食品包装容器の３つの実施形態を説明する。
【００２７】
最初に、図１を参照して、本発明による縦置き型食品包装容器の第１の実施形態を説明する。図１は、本発明の第１の実施形態である縦置き型食品包装容器の縦断面図である。
【００２８】
図１に示すように、縦置き型食品包装容器１は、上向きの開口２を有し且つ縦置きにされた外容器４と、開口２を閉鎖するための外蓋６とを有している。外容器４は、ほぼ円筒形の側壁８と、それに連結された底壁１０とを有している。側壁８は、内面１２及び上縁１４を有している。上向きの開口２は、側壁８の上縁１４によって構成されている。側壁の上縁１４は、１つの水平平面内にある。側壁の上縁１４には、環状のフランジ１８が設けられている。このフランジ１８に、外蓋６が密封接着されている。外蓋６は、シート状であり、上面２０と、フランジ１８に接着している下面２２とを有している。外蓋６は、実質的には、側壁８の上縁１４を含む水平平面内に位置している。外蓋６とこの外蓋６によって閉鎖された外容器４とによって、密封された容器内部空間２４が構成されている。外容器４は、ＰＥやＡＬをコーティングした紙、ポリスチレン、ポリプロピレン、ポリエチレン、ポリ塩化ビニル、ポリエチレンテレフタレート等の樹脂又は発泡樹脂等で作られるのが良い。外蓋６は、外容器から容易に剥すことができる材料で作られるのが良く、例えば、アルミニウム箔／ホットメルト接着剤、紙／ポリエチレン／アルミニウム箔／ポリエチレン／ホットメルト接着剤、ポリエチレンテレフタレートなどの耐熱性プラスチックフィルム／ポリエチレン／アルミニウム箔／接着用樹脂、紙／ポリエチレン／二軸延伸プラスチックフィルム／ポリエチレン／ホットメルト接着剤等の複合材料で作られる。
【００２９】
外容器４の中に、積み重ねられた食品、例えば、ポテトチップＣが収容されている。このポテトチップＣの上に、小トレイ２６が載せられている。更に、この小トレイ２６の上に、ソース袋２８が載せられている。ソース袋２８は、ポテトチップＣに付けるためのディップソースを収容しており、平らな形状を有している。ポテトチップＣ、小トレイ２６及びソース袋２８は、密封された容器内部空間２４に配置されている。
【００３０】
小トレイ２６は、上下逆向きに配置されている。小トレイ２６は、上側に配置された底壁３０と、底壁から下方に延びる側壁３２とを有している。側壁３２は、内面３４と、下縁３６を有している。側壁３２の下縁３６によって、小トレイ２６の下向きの開口３８が構成されている。底壁３０は、上向きの底面４０を有している。後述するように、小トレイ２６を容器内部空間２４の外に置いたとき、小トレイ２６の開口３８は上向きになり、その底面４０は下向きになる。側壁３２は、段付き形状を有し、上側の小径部分４２と、下側の大径部分４４と、それらの間の肩部４６とを有している。小径部分４２と底面４０の間に、周縁部４８が構成されている。
【００３１】
小トレイ２６は、その肩部４６がポテトチップＣと当接し、それにより、小トレイ２６は、ポテトチップＣの上に載せられている。ソース袋２８は、小トレイ２６の底面４０の上に載せられている。
【００３２】
小トレイ２６の大径部分４４の外径は、ポテトチップＣの油及び塩が小トレイ２６の底面４０に回り込まないように、外容器４の内径よりもわずかに小さいことが好ましい。大径部分４４の上下方向長さは、小トレイ２６が輸送中に傾かないような長さであるのが良い。この長さは、例えば、５ｍｍ〜１０ｍｍである。小トレイ２６の小径部分４２の外径及び上下方向長さは、外蓋４をあけたときに小トレイ２６の底面４０の周縁部４８を指で掴むことができるような大きさである。例えば、小径部分４２の外径は、外容器４の内径よりも２０ｍｍ以上小さいことが好ましく、その上下方向長さは、例えば、５ｍｍ〜２０ｍｍであることが好ましい。小トレイ２６は、ポリスチレン、ポリプロピレン、ポリエチレン、ポリ塩化ビニル、ポリエチレンテレフタレート等の樹脂又は発泡樹脂等で作られることが好ましい。
【００３３】
小トレイ２６の底壁３０と外蓋６との間の隙間は、食品包装容器の輸送中、ソース袋２８が上下方向に移動しないような大きさであることが好ましい。
【００３４】
次に、本発明の第１の実施形態である縦置き食品包装容器の使用方法を説明する。
【００３５】
外蓋６を外容器４から取外す。ソース袋２８と小トレイ２６を外容器４から取出す。外容器４内のポテトチップＣの油及び塩は、主として、小トレイ２６の開口側、即ち、その内面３４に付着するが、小トレイ２６の底面４０には、油及び塩が付着しない。外容器４から取出した小トレイ２６をひっくり返し、その底面４０が下向きになるようにテーブル等の上に置く。それにより、油及び塩が付着している小トレイ２６の開口側は、上向きになる。その結果、小トレイ２６をテーブルの上に置いたとき、テーブルの上は、油や塩で汚れない。次いで、ソース袋２８の中身のディップソースを小トレイ２６に押出す。次いで、ポテトチップＣにディップソースを付けながら、ポテトチップＣを食べることができる。
【００３６】
２番目に、図２を参照して、本発明による縦置き型食品包装容器の第２の実施形態を説明する。図２は、本発明の第２の実施形態である縦置き型食品包装容器の縦断面図である。
【００３７】
第２の実施形態である縦置き型食品包装容器６０は、外蓋と小トレイの構成及びソース袋の配置以外、第１の実施形態である縦置き型食品包装容器と同様の構造を有している。従って、以下、第１の実施形態と異なる部分だけを説明し、共通する部分の説明を省略する。
【００３８】
外蓋６２は、上方に突出した凸形の形状を有している。外蓋６２は、外容器４のフランジ１８に脱着式に嵌合している。外蓋６２は、ポリスチレン、ポリプロピレン、ポリエチレン、ポリ塩化ビニル、ポリエチレンテレフタレート等の樹脂等で作られるのが良い。
【００３９】
外容器４の中に、例えば、油で揚げて塩で味付けしたステック状のスナックＳが収容されている。このスナックＳの上に、蓋６４付きの小トレイ６６が載せられている。蓋６４をした小トレイ６６の中に、ソース袋２８が入れられている。ソース袋２８は、スナックＳにつけるためのディップソースを収容しており、平らな形状を有している。スナックＳ、小トレイ６６及びソース袋２８は、容器内部空間２４に配置されている。
【００４０】
小トレイ６６は、上下逆向きに配置されている。小トレイ６６は、上側に配置された底壁６８と、底壁６８から下方に延びる側壁７０とを有している。側壁７０は、内面７４と、下縁７６を有している。側壁７０の下縁７６によって、小トレイ６６の下向きの開口７８が構成されている。底壁６８は、上向きの底面８０を有している。後述するように、小トレイを容器内部空間２４の外に置いたとき、小トレイ６６の開口７８は上向きになり、その底面８０は下向きになる。側壁７０は、下方に延びるにつれて広がるように底面８０から下縁７６までテーパしている。底面８０と側壁７０との間に、周縁部８２が構成されている。側壁７０の下縁７６に、小トレイ用の蓋６４が密封的に接着されている。蓋６４は、シート状であり、第１の実施形態の外蓋４と同様の材料で作られるのが良い。
【００４１】
小トレイ６６は、その蓋６４がスナックＳと当接し、それにより、小トレイ６６は、スナックＳの上に載せられている。かくして、スナックＳの上に小トレイ６６の蓋６４が配置され、更に、この蓋６４の上に、ソース袋２８が配置されている。
【００４２】
側壁７０の下縁７６の外径は、スナックＳの油及び塩が小トレイ６６の底面８０に回り込まないように、外容器４の内径よりもわずかに小さいことが好ましい。小トレイ６６の底面８０の外径は、外蓋６２をあけたときに小トレイ６６の底面８０の周縁部８２を指で掴むことができるような大きさである。例えば、底面８０の外径は、外容器４の内径よりも２０ｍｍ以上小さいことが好ましい。小トレイ６６の底壁８０と外蓋６２との間の隙間は、小さいことが好ましい。小トレイ６６は、ポリスチレン、ポリプロピレン、ポリエチレン、ポリ塩化ビニル、ポリエチレンテレフタレート等の樹脂又は発泡樹脂等で作られていることが好ましい。
【００４３】
次に、本発明の第２の実施形態である縦置き食品包装容器の使用方法を説明する。
【００４４】
外蓋６２を外容器４から取外して、小トレイ６６を容器内部空間２４から取出す。外容器４内のスナックＳの油及び塩は、主として、小トレイ６６の開口側、即ち、小トレイ用蓋６４に付着するが、小トレイ６６の底面８０には、油及び塩が付着しない。小トレイ６６をひっくり返し、その底面８０が下向きになるようにテーブル等の上に置く。それにより、油及び塩が付着している小トレイ６６の開口側は、上向きになる。その結果、小トレイ６６をテーブル等の上に置いたとき、テーブル等の上は、油や塩で汚れない。次いで、小トレイ用蓋６４を小トレイ６６から取外し、ソース袋２８を取出す。ソース袋２８の中身のディップソースを小トレイ６６の中に押出す。次いで、スナックＳにディップソースを付けながら、スナックＳを食べることができる。
【００４５】
３番目に、図３を参照して、本発明による縦置き型食品包装容器の第３の実施形態を説明する。図３は、本発明の第３の実施形態である縦置き型食品包装容器の縦断面図である。
【００４６】
第３の実施形態である縦置き型食品包装容器９０は、小トレイの構成が異なり、ソース袋が省略されていること以外、第１の実施形態である縦置き型食品包装容器と同様の構造を有している。従って、以下、第１の実施形態と異なる部分だけを説明し、共通する部分の説明を省略する。
【００４７】
外容器４の中に、第２の実施形態と形状が異なる、油で揚げて塩で味付けしたスナック菓子Ｓ’が収容されている。スナック菓子Ｓ’の上に、それと間隔をおいて小トレイ９２が配置されている。後で説明するように、小トレイ９２は、外蓋６に接着されている。
【００４８】
小トレイ９２は、上下逆向きに配置されている。小トレイ９２は、上側に配置された底壁９４と、底壁から上下方向下方に延びる側壁９６とを有している。側壁９６は、内面９８と、外面１００と、下縁１０２を有している。側壁９６の下縁１０２によって、小トレイ９２の下向きの開口１０４が構成されている。底壁９４は、上向きの底面１０６を有している。後述するように、小トレイ９２を容器内部空間２４の外に置いたとき、小トレイ９２の開口１０４は上向きになり、その底面１０６は下向きになる。小トレイ９２の底面１０６は、外蓋６の下面２２に接着されている。スナック菓子Ｓ及び小トレイ９２は、容器内部空間２４に配置されている。
【００４９】
小トレイ９２の底面１０６の外径は、外蓋６を外容器４から取外すのにじゃまにならない大きさであるのが良い。例えば、底面１０６の外径は、外容器４の内径よりも２０ｍｍ以上小さいことが好ましい。小トレイ９２は、外蓋６と同質の材料で作られるのが良い。
【００５０】
次に、本発明の第３の実施形態である縦置き食品包装容器の使い方を説明する。
【００５１】
外蓋６を外容器４から取外す。それにより、小トレイ９２を外蓋６と共に外容器４から取出すことができる。スナック菓子Ｓ’の油及び塩は、主として、小トレイ９２の開口側、即ち、その内面９８、外面１００に付着するが、小トレイ９２の底面１０６には、油及び塩が付着しない。また、外蓋６の下面２２には、油及び塩が付着するが、外蓋６の上面２０には、油及び塩は付着しない。外容器４から取出した小トレイ９２をひっくり返し、その底面１０６が下向きになるようにテーブル等の上に置く。それにより、油及び塩が付着している小トレイ９２の開口側は、上向きになる。この時、外蓋４を小トレイ９２から取外しても良いし、外蓋４を小トレイ９２に接着させたままでも良い。外蓋を小トレイ９２に接着させたままであるとき、外蓋６の上面が下向きになるようにテーブル等の上に置かれることになる。その結果、小トレイ９２をテーブル等の上に置いたとき、テーブル等の上は、油や塩で汚れない。次いで、スナック菓子Ｓ’を小トレイ９２に小出しにして、それを食べる。ディップソースを収容したソース袋（図示せず）が添付されている場合には、ソース袋の中身のディップソースを小トレイ９２に押出す。次いで、スナック菓子Ｓ’にディップソースを付けながら、スナック菓子Ｓ’を食べることができる。
【００５２】
以上、本発明の３つの実施形態を説明したけれども、本発明は、これらの実施の形態に限定されることなく、特許請求の範囲に記載された発明の範囲内で種々の変更が可能であり、それらも本発明の範囲内に包含されるものであることはいうまでもない。
【００５３】
上記実施形態では、外容器４の側壁は、円筒形状であったが、多角形状等の他の形状であっても良い。
【００５４】
また、上記外容器に収容される食品は、小容器に付着しやすい材料を有していれば、油及び塩を有する食品に限らず、例えば、調味料や粉をまぶした食品、表面にチョコレートをコーティングした製品等であっても良い。更に、付着しやすい材料は、匂いを発する材料であっても良い。
【００５５】
また、上記実施形態では、ソース袋によって味剤を収容していたが、容器によって味剤を収容しても良い。容器は、例えば、１つの部屋からなるポーション式の容器でも良いし、並列した２つの部屋からなり、部屋と部屋との間を折り曲げることによって両方の部屋の味剤を同時に押出すことができるディスペンス式の容器でも良い。更に、第２の実施形態において、蓋６４で密封された小トレイ６６の中に、ディップソースを直接入れておいても良い。
【００５６】
また、第１及び第２の実施形態において、ソース袋を平らな形状にしたけれども、ソース袋の形状は任意である。
【００５７】
また、上記３つの実施形態の構成要素を互いに組合わせても良い。例えば、第１及び第３の実施形態において、外蓋６を第２の実施形態のように脱着式に嵌合する外蓋６２に変更しても良いし、第２の実施形態において、外蓋６２を第１及び第３の実施形態のように平らな形状にしても良い。また、第２の実施形態において、小容器６６内にソース袋を入れなくても良いし、第３の実施形態において、小容器９２に蓋を設け、ソース袋を小容器内に配置しても良い。
【００５８】
また、上記実施形態では、１つの小容器２６、６６、９２が容器内部空間２４に配置されているけれども、複数の小容器を容器内部空間２４に配置しても良い。この場合、複数の小容器は、重ねて配置されていても良いし、並べて配置されていても良い。それに応じて、ソース袋２８の数を変更しても良い。
【００５９】
また、第１及び第２の実施形態において、小容器２６、６６を外容器４から取出すことを容易にするために、小容器２６、６６の底面４０、８０に凹部を設け、その中に、指で掴むことができるつまみ等を設けても良い。
【００６０】
【発明の効果】
以上説明した通り、本発明の縦置き型食品包装容器により、蓋を閉めた食品包装容器内に入れられた小容器をテーブル等の上に置いたとき、テーブル等の上が汚れることを防止することができる。
【図面の簡単な説明】
【図１】本発明による第１の実施形態の縦置き型食品包装容器の縦断面図である
【図２】本発明による第２の実施形態の縦置き型食品包装容器の縦断面図である
【図３】本発明による第３の実施形態の縦置き型食品包装容器の縦断面図である
【符号の説明】
１、６０、９０  縦置き型食品包装容器
２    外容器の開口
４    外容器
６    外蓋
１２  外容器の内面
２４  容器内部空間
２６  小容器
２８  味剤収容体
３８  小容器の開口
４０  底面
４８  周縁
６２  外蓋
６４  小容器用蓋
６６、９２  小容器
７８、１０４  小容器の開口
８０、１０６  底面
８２  周縁
【図１】
2004345698.tif 000003
【図２】
2004345698.tif 000004
【図３】
2004345698.tif 000005